(57)【特許請求の範囲】
【請求項１】
遊技機が多数配設された遊技島に備えられ、遊技者の手の汚れや前記遊技機各部の汚れを拭き取るための手拭きシートを供給する手拭きシート供給装置であって、
遊技者の操作に応じて前記手拭きシートを送り出す送出機構を備え、
前記手拭きシートは芯材の周りにロール状に巻かれており、
前記送出機構は、
前記ロール状の手拭きシートの芯材を回動自在に軸支する軸支部材と、
該軸支部材により軸支された前記手拭きシートの開放端を両面から挟持して送り出す挟持送出部材とを備え
前記挟持送出部材は、前記ロール状の手拭きシートの芯材に並行な回動軸に軸支され、回動することによって前記手拭きシートを挟持しながら送り出す少なくとも一対のローラ
によって構成され、
当該手拭シート供給装置は、
前記軸支部材に軸支された前記手拭シートの下方位置から、前記一対のローラの間の位置まで下り坂を形成する曲面板をさらに備えることを特徴とする手拭きシート供給装置。
【請求項２】
前記軸支部材は、前記ロール状の手拭きシートと共に回動する一対のプーリによって構成されており、
前記送出機構は、前記プーリの回動と前記ローラの回動とを連動させる連動部材を備えることを特徴とする請求項１に記載の手拭きシート供給装置。
【請求項３】
前記送出機構は、遊技者が手動操作するための操作部を備えることを特徴とする請求項１〜２の何れかに記載の手拭きシート供給装置。
【請求項４】
前記操作部は、前記ロール状の手拭きシートと共に回動するプーリであることを特徴とする請求項１〜３の何れかに記載の手拭きシート供給装置。
【発明の詳細な説明】
【０００１】
【発明の属する技術分野】
本発明は、パチンコ遊技場の遊技島に備えられ、遊技者の手の汚れや遊技機各部の汚れを拭き取るための手拭きシートを供給する手拭きシート供給装置に関する。
【０００２】
【従来の技術】
パチンコ遊技機に備えられる発射ハンドルや遊技球受け皿は、不特定多数の遊技者によって触れられるため、手垢等が無数に付着している。また、目に見えない雑菌も無数に付着している。特に近年、病原性大腸菌による食中毒が多数発生したこと等に起因して、人々の衛生に対する関心が非常に高まっており、遊技者は、パチンコ遊技場に対して衛生的な遊技環境の提供を求めている。このため、例えば、遊技機の周囲に、遊技者の手の汚れや遊技機各部の汚れを拭き取るための手拭きシートを供給する装置を設置することにより、衛生的な遊技環境を提供する様に努めているパチンコ遊技場もある。
【０００３】
【発明が解決しようとする課題】
しかし、手拭きシートの容器として、市販されているティッシュペーパーやウェットティッシュペーパーに用いられている様な容器を用いた場合には、手拭きシートを出し過ぎてしまうことや、手拭きシートが途中で切れてしまうことがある。出し過ぎた手拭きシートを容器に戻されると不衛生であり、また途中で切れると取出口等に手拭きシートが詰まってしまうこともある、という問題がある。
【０００４】
そこで、本発明は、遊技者の手の汚れや遊技機各部に付着した汚れを拭き取るための手拭きシートを安定して供給することができる手拭きシート供給装置を提供することを目的とする。
【０００５】
【課題を解決するための手段、及び発明の効果】
この様な目的を達成するため、本発明にかかる手拭きシート供給装置は、遊技機が多数配設された遊技島に備えられ、遊技者の手の汚れや前記遊技機各部の汚れを拭き取るための手拭きシートを供給する手拭きシート供給装置であって、遊技者の操作に応じて前記手拭きシートを送り出す送出機構を備え、前記手拭きシートは芯材の周りにロール状に巻かれており、前記送出機構は、前記ロール状の手拭きシートの芯材を回動自在に軸支する軸支部材と、該軸支部材により軸支された前記手拭きシートの開放端を両面から挟持して送り出す挟持送出部材とを備え、前記挟持送出部材は、前記ロール状の手拭きシートの芯材に並行な回動軸に軸支され、回動することによって前記手拭きシートを挟持しながら送り出す少なくとも一対のローラによって構成され、当該手拭シート供給装置は、前記軸支部材に軸支された前記手拭シートの下方位置から、前記一対のローラの間の位置まで下り坂を形成する曲面板をさらに備えることを特徴とする。
【０００６】
本発明にかかる手拭きシート供給装置は、遊技者の操作に応じて送出機構が手拭きシートを送り出すので、手拭きシートを安定して供給することができる。このため、手拭きシートを出し過ぎてしまうことや、手拭きシートが途中で切れてしまうことがない。このため、出し過ぎた手拭きシートを容器に戻されることもなく衛生的であり、また取出口等に手拭きシートが詰まってしまうこともない。
【０００７】
ここで、手拭きシートとしては、ティッシュペーパー、ウェットティッシュペーパー等を挙げることができる。そして、特に、除菌剤を含ませたウェットティッシュペーパーを採用した場合には、手や遊技機各部をより衛生的にすることができる。また、手拭きシート供給装置を取り付ける位置としては、２つの遊技機に挟まれた台間部分や、遊技機の上方の各種ランプが設置された部分等を挙げることができる。また、遊技機自体の、例えば発射ハンドルや下部遊技球受皿の付近等に取り付けられていてもよい。
【０００８】
また、請求項１に記載した発明は、前記手拭きシートは芯材の周りにロール状に巻かれており、前記送出機構は、前記ロール状の手拭きシートの芯材を回動自在に軸支する軸支部材と、該軸支部材により軸支された前記手拭きシートの開放端を両面から挟持して送り出す挟持送出部材とを備えている。
【０００９】
この様に、手拭きシートがロール状に巻かれ、芯材を介して回動自在に軸支されている場合には、手拭きシートは回動しながら開放端から徐々に引き出される。従って、非常に安定的に手拭きシートを送り出すことができる。さらに、挟持送出部材が手拭きシートの両面を挟持して送り出すため、より安定的に送り出すことができる。
【００１０】
さらに、請求項１に記載した発明は、前記挟持送出部材が、前記ロール状の手拭きシートの芯材に並行な回動軸に軸支され、回動することによって前記手拭きシートを挟持しながら送り出す少なくとも一対のローラによって構成されている。
【００１１】
この様に構成されている場合には、手拭きシートはローラの回動によって円滑に送り出される。このため、手拭きシートを出し過ぎてしまうことや、取出口に手拭きシートが詰まってしまうことをより確実に防止することができる。
さらに、本発明にかかる手拭きシート供給装置は、請求項２に記載した様に、前記軸支部材は、前記ロール状の手拭きシートと共に回動する一対のプーリによって構成されており、前記送出機構は、前記プーリの回動と前記ローラの回動とを連動させる連動部材を備えていてもよい。
【００１２】
この様に構成されている場合には、プーリの回動量に応じた手拭きシートがローラに送られ、プーリの回動に連動してローラが回動することにより、手拭きシートを過不足なく送り出す。このため、ローラによって手拭きシートが過度に引っ張られることがないので、手拭きシートが途中で切れることを防止することができる。また、プーリ側からローラ側へ手拭きシートが過度に送られることがないので、折り重なった状態でローラに挟持されることによってローラ間に手拭きシートが詰まってしまうことを防止することができる。従って、より一層安定的に手拭きシートを供給することができる。
【００１３】
また、請求項３に記載した様に、前記送出機構は、遊技者が手動操作するための操作部を備えていてもよい。この様に構成されている場合には、送出機構を駆動するためのモータ等が必要ないので、非常に簡素な構成とすることができ、手拭きシート供給装置全体を小型化及び軽量化することができると共に、製造行程を簡略化することができる。
【００１４】
そして、請求項４に記載した様に、前記操作部は、前記ロール状の手拭きシートと共に回動するプーリであってもよい。この様に構成されている場合には、操作部を別途設ける必要がなく、手拭きシート供給装置全体を一層小型軽量化することができると共に、製造行程を一層簡略化することができる。
【００１６】
【発明の実施の形態】
以下、本発明の一実施例を図面に基づいて説明する。
まず本発明が適用された手拭きシート供給装置の構成について説明する。
図１は、本実施例の手拭きシート供給装置の内部構成を表す斜視図である。図２は、手拭きシート供給装置の詳細な構成を説明するための説明図であり、（ａ）及び（ｂ）は従動プーリ周辺の正面図、（ｃ）はギアボックス周辺の側面図を表す。図３は、手拭きシート供給装置の外観を表す斜視図であり、図４は、手拭きシート供給装置の設置状態を表す正面図である。
【００１７】
図１〜３に示す様に、本実施例の手拭きシート供給装置１は、本体１ａ、カバー１ｂ及び手拭きシートロール３によって構成されており、本体１ａは、基板１ｃ、駆動プーリ５、従動プーリ７、駆動プーリ支持部材９ａ、従動プーリ支持部材９ｂ、ギアボックス１１、上側ローラ１３ａ、下側ローラ１３ｂ、曲面板１５、ロール量センサ１７（センサ本体１７ａ及びプローブ１７ｂ）等を備え、カバー１ｂは、シート排出口１９、表示ランプ２１（使用可表示ランプ２１ａ及び空表示ランプ２１ｂ）、シリンダ錠２３（錠本体２３ａ、鍵穴２３ｂ及び係止爪２３ｃ）、凹部２５、信号用ソケット２７等を備える。そして、図４に示す様に、手拭きシート供給装置１は隣合うパチンコ遊技機Ｐの間の台間部分Ｂに設置されている。また、手拭きシート供給装置１の下には、使用後の手拭きシートを捨てるためのゴミ投入口９９が設けられている。
【００１８】
手拭きシートロール３は、切込部３３を有する芯材３１の周りに手拭きシートが巻かれて形成されたものである。駆動プーリ５及び従動プーリ７は、手拭きシートロール３を回動可能に軸支するためのものであり、駆動プーリ５の周面には、指の滑り止めを兼ねたギア歯５１が形成され、遊技者の指等によって回動させることができる様になっている。また、駆動プーリ５は、芯材３１の切込部３３に嵌合する突起５５によって芯材３１の空転を防止しつつ芯材３１を軸支する駆動プーリ軸５３、及び手拭きシート自体の空転を防止するための突起５７を備え、図示しない駆動プーリ軸受を介して駆動プーリ支持部材９ａに支持されている。従動プーリ７は、駆動プーリ軸５３、突起５５、５７と同様の機能を有する従動プーリ軸７３、突起７５、７７を備え、軸方向に摺動可能な従動プーリ軸受７９を介して従動プーリ支持部材９ｂに支持されている。従動プーリ支持部材９ｂは、従動プーリ７を駆動プーリ５側へ付勢するための付勢板９１を備える。そして、従動プーリ７は、通常時には図２（ａ）に示す位置にあり、店員等によって矢印Ａ２方向に引かれると、従動プーリ軸受７９が摺動し、従動プーリ７は図２（ｂ）に示す位置まで移動する。なお、駆動プーリ支持部材９ａは付勢板を備えていない。
【００１９】
ギアボックス１１は、図２（ｃ）に示す様に、駆動プーリ５の回動を上側ローラ１３ａ及び下側ローラ１３ｂに伝達するためのものであり、ギア１１ａ、１１ｂを備える。また、基板１ｃの内部にはギア１１ｃが備えられ、ギア１１ｂと噛合している。そして、ギア１１ｂは上側ローラ１３ａの回動軸１３ｃに、ギア１１ｃは下側ローラ１３ｂの回動軸１３ｄにそれぞれ固定されており、ギア１１ａは駆動プーリ５とギア１１ｂとの間に介在している。ギア１１ａは、駆動プーリ５の回動方向と上側ローラ１３ａの回動方向とを一致させるためのものである。また、ギア１１ｂには逆止部材１１ｄが付設されており、ギア１１ｂの回動方向は矢印Ａ３方向に制限されている。このため、ギア１１ｂと連動する駆動プーリ５の回動方向は、矢印Ａ１（カバー１ｂに示された矢印Ａ４）方向に制限される。
【００２０】
上側ローラ１３ａ及び下側ローラ１３ｂは、回動することによって手拭きシートロール３の手拭きシートを手繰り寄せ、シート排出口１９へ送るためのものであり、回動軸１３ｃは、一端をギアボックス１１の壁面に、他端を支持部材１３ｅに支持され、回動軸１３ｄは、図示しない支持部材によって支持されている。曲面板１５は、上側ローラ１３ａと下側ローラ１３ｂとの間に手拭きシートを円滑に供給するためのものであり、ローラ１３ａ、ｂの近傍に下端部分を固定されている。そして、曲面板１５は、手拭きシートロール３がプーリ５、７に軸支されると、手拭きシートロール３に押されて図１に示す位置から下方に移動する様に構成されている。なお、曲面板１５が手拭きシートロール３に押されて下方に移動すると、曲面板１５には、手拭きシートロール３を押し返そうとする上向きの復元力が作用する。このため、手拭きシートロール３が細くなるに連れて曲面板１５は上方に移動し、手拭きシートロール３に接触し続ける。また、シート排出口１９には手拭きシートを切断するためのカッター（図示せず）が設けられている。ロール量センサ１７は、手拭きシートロール３の径によって手拭きシートの有無を検出するためのものであり、周知のリミットスイッチによって構成されるセンサ本体１７ａと、曲面板１５の切込部１５ａから露出するプローブ１７ｂとからなる。そして、プローブ１７ｂは、手拭きシートロール３がプーリ５、７に軸支されると、曲面板１５と同様に手拭きシートロール３に押されて下方に移動し、手拭きシートが使用されて手拭きシートロール３が徐々に細くなると上方に移動する様に構成されている。そして、手拭きシートがなくなってプローブ１７ｂがロール軸に接触すると、あるいは手拭きシートの残量が僅かとなってプローブ１７ｂが芯材３１に接近するとリミットスイッチの接点が切り替わる。そして、点灯していた使用可表示ランプ２１ａが消灯し、空表示ランプ２１ｂが点灯する。
【００２１】
シリンダ錠２３は、鍵穴２３ｂから鍵が挿入され、シリンダが回動されることにより、施錠状態と解錠状態とを切り換える周知のものであり、施錠状態においては、錠本体２３ａの係止爪２３ｃは、図３に示す様にカバー１ｂの表面から突出した状態となり、解錠状態においては、係止爪２３ｃはカバー１ｂの表面下に隠れる。そして、台間部分Ｂの内部には、係止爪２３ｃに対応した係止溝（図示せず）、凹部２５に対応した凸部（図示せず）が形成されており、解錠状態の手拭きシート供給装置１を台間部分Ｂに挿入すると、凹部２５と図示しない凸部とが軽く噛み合って手拭きシート供給装置１の位置が固定され、続いてシリンダ錠２３を施錠状態にすると、係止爪２３ｃと図示しない係止溝とがしっかりと噛み合う。
【００２２】
信号用ソケット２７は、ロール量センサ１７のリミットスイッチを介して表示ランプ２１と図示しない電源とを接続すると共に、ロール量センサ１７と図示しないホールコンピュータとを接続するためのものである。
ここで、駆動プーリ５、従動プーリ７、駆動プーリ支持部材９ａ、従動プーリ支持部材９ｂ、ギアボックス１１、ローラ１３、曲面板１５等が前述した送出機構に該当し、特に、駆動プーリ５、従動プーリ７、駆動プーリ支持部材９ａ、従動プーリ支持部材９ｂが軸支部材に、上側ローラ１３ａ及び下側ローラ１３ｂが挟持送出部材に、ギアボックス１１内のギア１１ａ、１１ｂ及び基板１ｃの内部のギア１１ｃが連動部材にそれぞれ該当する。また、ロール量センサ１７が検出手段に該当する。
【００２３】
次に本実施例の手拭きシート供給装置１の使用方法について説明する。
まず、店員は、図２（ｂ）に示す様に従動プーリ７を移動させ、駆動プーリ５と従動プーリ７との間隔を広げ、両者の間に手拭きシートロール３を挿入し、切込部３３に突起５５を嵌合させながら駆動プーリ軸５３を芯材３１に挿入し、駆動プーリ５と従動プーリ７との間隔を徐々に狭め、同様に、切込部３３に突起７５を嵌合させながら従動プーリ軸７３を芯材３１に挿入する。続いて、手拭きシートロール３の端部３５を、上側ローラ１３ａと下側ローラ１３ｂとの隙間に挿入し、駆動プーリ５を矢印Ａ１（矢印Ａ４）方向に回動させる。すると、上側ローラ１３ａ及び下側ローラ１３ｂが回動し、両者の間から手拭きシートロール３の端部３５が送り出されるので、端部３５をシート排出口１９に通しながらカバー１ｂを本体１ａに取り付ける。そして、信号用ソケット２７を台間部分Ｂ内部の図示しないソケットと接続した後に、手拭きシート供給装置１を台間部分Ｂに取り付け、最後に、シリンダ錠２３によって施錠する。
【００２４】
遊技者は、必要に応じて指等で駆動プーリ５を矢印Ａ１（矢印Ａ４）方向に回動し、シート排出口１９から送り出される手拭きシートを手に取り、手の汚れや発射ハンドルの汚れを拭き取った後、使用後の手拭きシートをゴミ投入口９９へ捨てる。
【００２５】
そして、何人かの遊技者が手拭きシート供給装置１を利用した結果、手拭きシートがなくなると、ロール量センサ１７がその旨を検知する。すると、手拭きシートがなくなった旨を遊技者に知らせるために空表示ランプ２１ｂが点灯する。また、手拭きシートがなくなった旨は、信号用ソケット２７を介してホールコンピュータに知らされる。そして、店員は、シリンダ錠２３を解錠して手拭きシート供給装置１を台間部分Ｂから取り外し、芯材３１のみとなった手拭きシートロール３を新しいものと取り替え、再び手拭きシート供給装置１を台間部分Ｂに取り付ける。
【００２６】
次に本実施例の手拭きシート供給装置１の効果について説明する。本実施例の手拭きシート供給装置１は、上記の様な構成であり、上記の様に作用するので、次の（１）〜（７）の様な効果が得られる。
（１）手拭きシート供給装置１は台間部分Ｂに設置されているので、遊技者は遊技を行いながらでも手拭きシートを手にすることができる。
【００２７】
（２）手拭きシート供給装置１は、遊技者が駆動プーリ５を操作することにより駆動プーリ５、従動プーリ７、上側ローラ１３ａ及び下側ローラ１３ｂが手拭きシートを送り出すので、手拭きシートを安定して供給することができる。このため、手拭きシートを出し過ぎてしまうことや、手拭きシートが途中で切れてしまうことがない。このため、出し過ぎた手拭きシートを容器に戻されることもなく衛生的であり、また取出口等に手拭きシートが詰まってしまうこともない。
【００２８】
（３）手拭きシートがロール状に巻かれ、芯材３１を介して回動自在に軸支されているので、手拭きシートは、手拭きシートロール３が回動することによって開放端から徐々に引き出される。従って、非常に安定的に手拭きシートを送り出すことができる。
【００２９】
（４）上側ローラ１３ａ及び下側ローラ１３ｂによって手拭きシートの両面を挟持して送り出すため、より円滑に送り出すことができる。このため、手拭きシートを出し過ぎてしまうことや、手拭きシートを詰まらせてしまうことをより確実に防止することができる。
【００３０】
（５）駆動プーリ５、上側ローラ１３ａ及び下側ローラ１３ｂが連動して回動するので、上側ローラ１３ａと下側ローラ１３ｂによって手拭きシートが過度に引っ張られることがない。このため、手拭きシートが途中で切れることを防止することができる。また、プーリ５、７側からローラ１３ａ、ｂ側へ手拭きシートが過度に送られることがないので、手拭きシートが折り重なった状態で上側ローラ１３ａと下側ローラ１３ｂとの間に挟持されて詰まってしまうことがない。従って、より一層安定的に手拭きシートを供給することができる。
【００３１】
（６）遊技者が駆動プーリ５を指等で回動させることによって手拭きシートロール３、上側ローラ１３ａ及び下側ローラ１３ｂが回動するので、モータ等の駆動装置を備える必要がなく、非常に簡素な構成とすることができる。このため、手拭きシート供給装置全体を小型かつ軽量化することができると共に、製造行程を簡略化することができる。
【００３２】
（７）手拭きシートがなくなると、あるいは残量が僅かになると、ロール量センサ１７によりその旨が検出され、空表示ランプ２１ｂによりその旨が表示されると共に、ホールコンピュータに知らされると、店員により手拭きシートが補充される。従って、遊技者はいつでも手拭きシートを手にすることができる。
【００３３】
以上、本発明の実施の形態について説明したが、本発明は、上記実施例に何等限定されるものではなく、さらに種々なる態様において実施してもよいことはもちろんである。例えば、上記実施例では、手動で手拭きシートを供給する構成を採用したが、モータを用い、所定の釦を押圧することによりプーリ及びローラが回動して手拭きシートが供給される構成を採用してもよい。この様に構成した場合には、操作は容易となるが、手拭きシート供給装置の構成が若干複雑になる。また、上記実施例では、手拭きシートの残量を表示ランプ２１によって２値的に表示する構成を採用したが、プローブ１７ｂの上下動量をアナログメータ等によって表示する構成を採用してもよい。
【図面の簡単な説明】
【図１】  手拭きシート供給装置の内部構成を表す斜視図である。
【図２】  手拭きシート供給装置の内部の詳細な構成を説明するための説明図である。
【図３】  手拭きシート供給装置の外観を表す斜視図である。
【図４】  手拭きシート供給装置の設置状態を表す正面図である。
【符号の説明】
１…手拭きシート供給装置  １ａ…本体  １ｂ…カバー  １ｃ…基板
３…手拭きシートロール  ５…駆動プーリ  ７…従動プーリ
９ａ…駆動プーリ支持部材  ９ｂ…従動プーリ支持部材  １１…ギアボックス
１１ａ…ギア  １１ｂ…ギア  １１ｃ…ギア  １１ｄ…逆止部材
１３ａ…上側ローラ  １３ｂ…下側ローラ  １３ｃ…回動軸  １３ｄ…回動軸
１３ｅ…支持部材  １５…曲面板  １５ａ…切込部  １７…ロール量センサ
１７ａ…センサ本体  １７ｂ…プローブ  １９…シート排出口
２１…表示ランプ  ２１ａ…使用可表示ランプ  ２１ｂ…空表示ランプ
２３…シリンダ錠  ２３ａ…錠本体  ２３ｂ…鍵穴  ２３ｃ…係止爪
２５…凹部  ２７…信号用ソケット  ３１…芯材  ３３…切込部  ３５…端部
５１…ギア歯  ５３…駆動プーリ軸  ５５…突起  ５７…突起
７３…従動プーリ軸  ７５…突起  ７９…従動プーリ軸受  ９１…付勢板
９９…ゴミ投入口  Ｂ…台間部分  Ｐ…パチンコ遊技機。
【図１】
0003873423.tif 000002
【図２】
0003873423.tif 000003
【図３】
0003873423.tif 000004
【図４】
0003873423.tif 000005